(57)【要約】【課題】発光部の意匠性を低下させず、しかも透明支持板が破損するおそれがなく、部品の管理や部品の取付作業が容易である遊技機の表示部材及び遊技機を提供する。【解決手段】光源から光が照射されて点灯表示する発光部６１を有する遊技機に用いられる表示部材６０において、発光部６１を主発光部６２と副発光部６３とから構成し、副発光部６３に輝度を抑制するための複数に分割された部分調光シート６３３ａ〜６３３ｄを設け、部分調光シート６３３ａ〜６３３ｄとその間を繋ぐ部分を覆う副発光部支持部６４１と、主発光部６２の二つの発光領域６２ｅ、６２ｈと、非発光領域６２ｉを覆う主発光部支持部６４２とからなる透明支持板６４０に積層した。【選択図】図７
2010029364.tif 000002
【特許請求の範囲】
【請求項１】
光源から光が照射されて点灯表示する発光部を有する、遊技機に用いられる表示部材において、
前記発光部が、遮光性を有する隔壁によって区画された複数の発光領域からなり各発光領域を区画する輪郭が非発光部として形成されている主発光部と、前記主発光部と隣接する発光領域からなる副発光部とから構成され、
前記副発光部には、副発光部の輝度を抑制するための調光シートと、該調光シートを後側から保持して固定するための透明支持板が設けられ、
前記調光シートが複数に分割された部分調光シートから構成され、
前記透明支持板が、前記部分調光シートを少なくとも覆う副発光部支持部と、前記主発光部の少なくとも一つの区画された発光領域の全体を覆うように前記副発光部支持部に連設されている主発光部支持部とからなる一つの部材であって、前記主発光部支持部が前記副発光部支持部を補強する形状に形成されていることを特徴とする遊技機の表示部材。
【請求項２】
前記隔壁に後端が短く形成された段部が設けられ、前記透明支持板が前記段部の上に位置する部分を有することを特徴とする請求項１記載の遊技機の表示部材。
【請求項３】
前記透明支持板の主発光部支持部が、少なくとも一つの区画された発光領域の隔壁の内側に嵌合していることを特徴とする請求項１又は２に記載の遊技機の表示部材。
【請求項４】
前記主発光部が、上下二列に文字列が配置されており、前記区画された発光領域の一つの発光領域が文字列の一文字に対応していることを特徴とする請求項１〜３のいずれか１項に記載の遊技機の表示部材。
【請求項５】
前記主発光部には、光を変化させる調光部と光を遮蔽する遮光部とが設けられていることを特徴とする請求項１〜４のいずれか１項に記載の遊技機の表示部材。
【請求項６】
前記副発光部が、前記主発光部の上方に設けられていることを特徴とする請求項１〜５のいずれか１項に記載の遊技機の表示部材。
【請求項７】
前記主発光部が、区画された発光領域により前面の位置が異なる凹凸状に形成されていることを特徴とする請求項１〜６のいずれか１項に記載の遊技機の表示部材。
【請求項８】
前記表示部材が遊技盤に取り付けられ、前記主発光部が遊技機の機種名を表示するものであることを特徴とする請求項１〜７のいずれか１項に記載の遊技機の表示部材。
【請求項９】
請求項１〜８のいずれか１項に記載の表示部材を備えることを特徴とする遊技機。
【発明の詳細な説明】
【技術分野】
【０００１】
本発明は、遊技機に用いられる表示部材、及び該表示部材を用いた遊技機に関するものである。
【背景技術】
【０００２】
従来、パチンコ遊技機等の遊技機に用いられる表示部材として、例えば特許文献１に記載の表示器が公知である。特許文献１に記載の表示器は、横長な区画壁間を仕切壁で区切った補強空間と、前面枠の表面に止着する止着部を本体ベースに一体的に形成し、本体ベースに発光源を取り付け、発光源と本体ベースの前面を複数のレンズ部材で覆ったものである。この表示器は、前記レンズ部材が、透明性合成樹脂製であり、内側面にダイヤカットが施されており、遊技機前面側に設けられている。
【０００３】
【特許文献１】実開平２−３０３８６号公報
【発明の開示】
【発明が解決しようとする課題】
【０００４】
上記のような表示部材において、部分的に明るさを調節するために、明るさを少し暗くしたい部分等に調光シート等を積層することが行われている。例えば図１０（ａ）、（ｂ）に示す表示部材１００は、発光部を主発光部１０１と該主発光部より少し暗く発光させるようにした副発光部１０２（図中、斜線で記載した部分）とから構成したものである。この表示部材１００において、副発光部１０２の輝度を下げるために、光源とレンズ部材との間に調光シート１０３が設けられている。調光シートを支持するために透明支持板１０４が用いられる。調光シート１０３を透明支持板１０４に積層し、透明支持板１０４を表示部材１００に取り付けることで、調光シート１０３は所定の位置に固定保持されている。
【０００５】
表示部材１００に用いられる調光シート１０３は、副発光部１０２の形状によっては、複数の調光シートを組合わせて用いることがある。例えば、一枚の透明支持板１０４に、４つの部分調光シートを積層する場合がある。このとき、透明支持板１０４が主発光部１０１の背面に存在すると、透明支持板１０４自体が透明であっても、光源からの発光状態が微妙に変化して、主発光部１０１の意匠性を損ねることになる。
【０００６】
しかし透明支持板１０４を主発光部１０１を覆わないような板状体により構成しようとすると、例えば図１０（a）において、矢印Ｐ、Ｑで示した部分のように、透明支持板１０４に細い部分が形成されることになる。透明支持板１０３は、細い部分により強度が低下するので、破損し易くなるおそれが出てくる。
【０００７】
これに対し、透明支持板１０４を調光シートの形状に応じて分割形成すれば、透明支持板１０４が破損し易くなるおそれは回避できる。しかし、透明支持板１０４を複数の部材から構成したのでは、部品点数が増えるため、部品の管理や、部品の取付作業に手間が掛かってしまうという問題があった。
【０００８】
本発明は、上記従来技術の欠点を解決しようとするものであり、発光部の意匠性を低下させず、しかも透明支持板が破損するおそれがなく、部品の管理や部品の取付作業が容易である遊技機の表示部材及び遊技機を提供することを目的とする。
【課題を解決するための手段】
【０００９】
上記課題を解決するために、本発明の遊技機の表示部材は、請求項1に記載のように、
光源から光が照射されて点灯表示する発光部を有する、遊技機に用いられる表示部材において、
前記発光部が、遮光性を有する隔壁によって区画された複数の発光領域からなり各発光領域を区画する輪郭が非発光部として形成されている主発光部と、前記主発光部と隣接する発光領域からなる副発光部とから構成され、
前記副発光部には、副発光部の輝度を抑制するための調光シートと、該調光シートを後側から保持して固定するための透明支持板が設けられ、
前記調光シートが複数に分割された部分調光シートから構成され、
前記透明支持板が、前記部分調光シートを少なくとも覆う副発光部支持部と、前記主発光部の少なくとも一つの区画された発光領域の全体を覆うように前記副発光部支持部に連設されている主発光部支持部とからなる一つの部材であって、前記主発光部支持部が前記副発光部支持部を補強する形状に形成されていることを要旨とするものである。
【００１０】
また本発明の遊技機の表示部材は、請求項２に記載のように、請求項１に係り、前記隔壁に後端が短く形成された段部が設けられ、前記透明支持板が前記段部の上に位置する部分を有することを要旨とするものである。
【００１１】
また本発明の遊技機の表示部材は、請求項３に記載のように、請求項１又は２に係り、前記透明支持板の主発光部支持部が、少なくとも一つの区画された発光領域の隔壁の内側に嵌合していることを要旨とするものである。
【００１２】
また本発明の遊技機の表示部材は、請求項４に記載のように、請求項１〜３のいずれか１項に係り、前記主発光部が、上下二列に文字列が配置されており、前記区画された発光領域の一つの発光領域が文字列の一文字に対応していることを要旨とするものである。
【００１３】
また本発明の遊技機の表示部材は、請求項５に記載のように、請求項１〜４のいずれか１項に係り、前記主発光部には、光を変化させる調光部と光を遮蔽する遮光部とが設けられていることを要旨とするものである。
【００１４】
また本発明の遊技機の表示部材は、請求項６に記載のように、請求項１〜５のいずれか１項に係り、前記副発光部が、前記主発光部の上方に設けられていることを要旨とするものである。
【００１５】
また本発明の遊技機の表示部材は、請求項７に記載のように、請求項１〜６のいずれか１項に係り、前記主発光部が、区画された発光領域により前面の位置が異なる凹凸状に形成されていることを要旨とするものである。
【００１６】
また本発明の遊技機の表示部材は、請求項８に記載のように、請求項１〜７のいずれか１項に係り、前記表示部材が遊技盤に取り付けられ、前記主発光部が遊技機の機種名を表示するものであることを要旨とするものである。
【００１７】
また本発明の遊技機は、請求項９に記載のように、請求項１〜８のいずれか１項に記載の表示部材を備えることを要旨とするものである。
【発明の効果】
【００１８】
請求項１の本発明の遊技機の表示部材は、前記透明支持板が、前記部分調光シートを覆う副発光部支持部と、前記主発光部の少なくとも一つの区画された発光領域の全体を覆うように前記副発光部支持部に連設されている主発光部支持部とからなる一つの部材であって、前記主発光部支持部が前記副発光部支持部を補強する形状に形成されている構成を採用したことにより、発光部の意匠性を低下させず、しかも透明支持板が破損するおそれが小さく、部品の管理や部品の取付が容易であるという効果が得られる。
【００１９】
請求項２の本発明の遊技機の表示部材は、前記隔壁に後端が短く形成された段部が設けられ、前記透明支持板が前記段部の上に位置する部分を有するため、透明支持板を隔壁に嵌合させることができる。
【００２０】
請求項３の本発明の遊技機の表示部材は、前記透明支持板の主発光部支持部が、少なくとも一つの区画された発光領域の隔壁の内側に嵌合していることにより、隔壁を補強して強度を向上せしめることができる。
【００２１】
請求項４の本発明の遊技機の表示部材は、前記主発光部が、上下二列に文字列が配置されており、前記区画された発光領域の一つの発光領域が文字列の一文字に対応していることにより、遊技機の機種名等を効果的に表示することができる。
【００２２】
請求項５の本発明の遊技機の表示部材は、前記主発光部には、光を変化させる調光部と光を遮蔽する遮光部とが設けられていることにより、例えば文字の輪郭等を遮光部に対応させ、輪郭の内側が調光部となるように構成することで文字等を効果的に表現することができる。
【００２３】
請求項６の本発明の遊技機の表示部材は、前記副発光部が、前記主発光部の上方に設けられていることにより、主発光部を効果的に強調することができる。
【００２４】
請求項７の本発明の遊技機の表示部材は、前記主発光部が、区画された発光領域毎に前面の位置が異なる凹凸状に形成されていることにより、各発光領域の文字や絵柄等に応じて遊技機前後方向の位置を適宜調節することで、各発光領域を立体的に表示して、主発光部の意匠性を向上させることができる。
【００２５】
請求項９の本発明の遊技機は、請求項１〜８のいずれか１項に記載の表示部材を備えることにより、発光部の意匠性に優れ、部品の管理や部品の取付作業が容易である。
【発明を実施するための最良の形態】
【００２６】
以下、本発明の実施例について図面を用いて詳細に説明する。図１は本発明遊技機の一実施例を示す正面図であり、図２は図１の遊技機を後方側から見た分解斜視図である。図１及び図２に示すように、本実施例の遊技機は、パチンコ遊技機１（以下、単に遊技機ということもある）であり、パチンコ遊技機１は、所要の奥行きを有する額縁形状に形成された外枠２（機枠と呼称されることもある）の前面側に、左側縁が軸着されて前方に開閉可能に組付けられた前面枠３が取り付けられている。さらに遊技機１は、前面枠３に対して左側縁が軸着されて前面側に開閉可能に形成された開閉扉からなる透明板保持枠４（ガラス枠）が取り付けられている。また前面枠３には、後方から遊技盤６が装着されており、遊技盤６の後方に機構枠５が設けられている。
【００２７】
なお本発明において、遊技機の前面とは遊技機正面側のことであり、遊技機の裏面或いは後方とは遊技機の背面側のことである。また遊技機の左側、右側、上側、下側とは、遊技機を前面から見た場合の左側、右側、上側、下側のことであり、図１において、図中、それぞれ左側、右側、上側、下側のことである。
【００２８】
図１に示すように、透明板保持枠４には遊技球を発射操作するためのタッチスイッチを備える発射ハンドル８、遊技領域へ発射するための遊技球を入れる上皿１１、下皿１２、遊技スイッチ１３、スピーカ１４、１４が等が設けられている。また図２に示すように、透明板保持枠４は、遊技盤６の遊技領域に対応する位置に、ガラス板又はプラスチック板等の透明板４ａが配設され、透明板４ａを通して前面側から遊技盤６の遊技領域を視認可能に形成されている。
【００２９】
図１に示すように遊技盤６の前面側には、発射装置５０(図３参照)から発射された遊技球をガイドするための内側ガイドレール９ａと外側ガイドレール９ｂからなるガイドレール９が、略円形に設けられている。遊技盤６の内側ガイドレール９ａ及び外側ガイドレール９ｂの一部によって囲まれた部分が遊技領域として形成されている。遊技領域の略中央には、図柄等を表示する図柄表示装置として液晶パネル２１が配設され、液晶パネル２１の前面の一部と周囲に、センター役物２２が配設されている。遊技領域のセンター役物２２以外の部分には、始動入賞装置２３、特別入賞装置２４等の各種入賞装置、ゲート２５、風車２６、普通図柄表示部２７が設けられている。また特に図示しないが、遊技盤６の遊技領域（センター役物２２の部分を除く）には、複数の釘等が起立している。
【００３０】
図３は図１の遊技機の背面図である。遊技盤６の裏面側には、液晶パネル２１が収納された液晶ケース３１、音声制御基板や図柄制御基板が収納された音声・図柄制御基板ケース３２、サブ制御基板が収納されたサブ制御基板ケース３３、主制御基板が収納された主制御基板ケース３４等が設けられている。またパチンコ遊技機１の機構枠５の裏面側には、図３に示すように、枠用外部端子基板４１、払出制御基板４２、電源基板４３、発射装置制御基板４４等の各種基板、カードインターフェース接続部４５、球寄せ４６、タンク４７、タンクレール４８、払出装置４９、発射装置５０等が設けられている。
【００３１】
パチンコ遊技機１は、発射ハンドル８の操作により、発射装置５０から遊技盤６の表面の遊技領域に遊技球を発射し、遊技球が遊技盤６の表面を転動しながら落下し、始動入賞装置２３、特別入賞装置２４等の入賞装置に入ると、所定の賞球遊技球が球払出口から払い出されるようになっている。
【００３２】
センター役物２２は、遊技盤７の前面に取付けられている。図４はセンター役物の正面図である。図４に示すように、センター役物２２は、略中央に液晶パネル２１を視認可能な開口部２２ａが設けられ、開口部２２ａの周囲には、各種の装飾部材、各種の役物等が設けられている。センター役物２２の中央上部には、後方に配置された光源から光が照射されて点灯表示する発光部６１を有する表示部材６０が設けられている。表示部材６０の発光部６１は、主発光部６２と、該主発光部６２の上側に隣接して位置する副発光部６３とから構成されている。尚、特に図示しないが、表示部材６０の後方には、遊技盤に複数個のＬＥＤからなる光源が設けられている。この光源のＬＥＤは、表示部材６０の主発光部６２及び副発光部６３からなる発光部６１の全体に照射して、発光部６１全体が発光するように配置されている。
【００３３】
図５は表示部材の正面図である。図５に示すように、表示部材６０の主発光部６２は、８個に区画された発光領域６２ａ〜６２ｈから構成されている。発光領域は６２ａ〜６２ｇは、遊技機１の機種名を表わす文字列からなる。文字列は、一つの発光領域が一つの文字に対応するように配置されている。すなわち、主発光部６２の上段の発光領域６２ａ、６２ｂは、２文字が対応し、下段の発光領域６２ｃ、６２ｄ、６２ｅ、６２ｆ、６２ｇは、５文字が対応していて、機種名の文字列が上下二列に配置されている。尚、主発光部６２の上段右端の発光領域６２ｈは絵柄であり、円で囲った内側部分に図柄が記載されている。
【００３４】
図６は表示部材の分解斜視図である。図６に示すように、表示部材６０の主発光部６２の各発光領域６２ａ〜６２ｈは、遮光性を有する隔壁６１１によって区画されている。隔壁６１１はアルミニウムのような隠蔽性と反射性を有する顔料などにより着色されたＡＢＳ樹脂から形成されていて遮光性と反射性を有している。図５に示すように、発光領域６２ａ〜６２ｈは、図中斜線で示した周縁の輪郭部分が、隔壁６１１により遮光されている。また隔壁６１１は光を反射するように形成されているので、各発光領域の内部に対してはリフレクターとして機能する。また、主発光部６２の発光領域６２ａ、６２ｄ、６２ｅに囲まれた部分は、非発光領域６２ｉとして形成されている。隔壁６１１の非発光領域６２ｉに対応する部分は、遮光部６１２（図６参照）として形成されている。
【００３５】
図６に示すように、表示部材６０の主発光部６２は、該主発光部６２の外側輪郭を構成する筒状の外枠部６２０の内部に、前記の隔壁６１１が嵌め込まれて形成されている。外枠部６２０の前面板６２０ａは、透明板から形成され、裏側に光を拡散させるためのレンズ加工が施されている。レンズ加工は、小さな半球状のレンズが多数配列され、表面が凹凸に形成されている。前面板６２０はレンズ加工により、光を拡散するようになっている。また前面板６２０ａの表面には、着色インキにより所定の文字が印刷形成されている。前面板６２０ａの発光領域６２ａ〜６２ｈの輪郭部分（非発光部）は、印刷された文字の輪郭に対応している。主発光部６２の前面板６２０ａは、上記着色インキにより印刷部分は光を遮蔽する遮光部となり、該遮光部を除く部分はレンズ加工により光を変化させる調光部となる。また外枠部６２０の絵柄の発光領域６２ｈの部分は、前面にレンズ部が形成された透明な円筒体６２２が装着されている。円筒体６２２の前面には、絵柄が印刷されたホログラムのシール６２３が積層されている。
【００３６】
図５に示す表示部材６０は、発光領域６２ａ〜６２ｈ及び非発光領域６２ｉからなる主発光部６２を除く部分が、副発光部６３として構成されている。副発光部６３は、主発光部６２の上方に位置している。副発光部６３は、図６に示すように、該副発光部の外枠が第１外枠部６３０と、第１外枠部の右下に設けられている第２外枠部６３１とから構成されている。第１外枠部の前面には、前方に突出するように形成された星型の模様が複数設けられている。外枠部６３０、６３１には、前面に凹凸模様が形成されたレンズ部材６３２ａ、６３２ｂ、６３２ｃが、外枠部６３０、６３１の後側から嵌め込まれている。更に副発光部６３には、輝度を抑制するために、後方に調光シート６３３（６３３ａ〜６３３ｄ）が設けられている。調光シート６３３は、４つに分割形成された部分調光シート６３３ａ、６３３ｂ、６３３ｃ、６３３ｄから構成されている。
【００３７】
更に副発光部６３には、部分調光シート６３３ａ〜６３３ｄを後側から保持して固定するための透明支持板６４０が後端に設けられている。透明支持板６４０は５本のネジ６６１、６６２、６６３、６６４、６６５により、主発光部の外枠部６２０と副発光部の外枠部６３０、６３１に取り付けられている。また、副発光部６３の前面には、副発光部６３の略中央の上部を覆うように、押さえ板６３４が取り付けられている。押え板６３４は、ネジ６５１、６５２により第１外枠部６３０に固定されている。
【００３８】
図７（ａ）は表示部材を後方から見た分解斜視図であり、（ｂ）は調光シートの光散乱パターンの説明図である。図７（ａ）に示すように、調光シート６３３を構成する部分調光シート６３３ａ〜６３３ｄは、透明支持板６４０の前面側の所定の位置に接着して積層されている。透明支持板６４０には、前記した図６に示す５本のネジ６６１〜６６５が挿通するネジ止め穴６４３〜６４６が設けられている。部分調光シート６３３ａ〜６３３ｄが積層された透明支持板６４０は、表示部材６０にネジ留めされて固定されている。調光シート６３３には、複数の区画された領域に、所定の光散乱パターンが形成されている。光散乱パターンは、例えば図７（ｂ）に示すように、散乱方向が異なる光散乱パターンからなる領域Ａ、Ｂが、調光シートの上下方向（縦方向）に順次交互に配置され、調光シートの左右方向（横方向）に各領域Ａ、Ｂを、上下に半分ずつずらして配列している。副発光部６３において、部分調光シート６３３ａ〜６３３ｄが積層された部分は、光源からの光が部分調光シート６３３ａ〜６３３ｄにより散乱されて輝度が抑制される。副発光部６３の輝度が抑制されると、隣接する主発光部６２の輝度が副発光部６３よりも相対的に高くなるので、主発光部６２の文字や絵柄が、引き立って見えることになる。
【００３９】
図７に示す透明支持板６４０は、副発光部６３の部分調光シート６３３ａ〜６３３ｄの部分と、部分調光シート６３３ａ〜６３３ｄの間を繋ぐ部分とを覆う副発光部支持部６４１と、主発光部６２の二つの発光領域６２ｅ、６２ｈと、非発光領域６２ｉ（図５参照）を覆う主発光部支持部６４２とからなる一つの部材として形成されている。透明支持板６４０は、ポリカーボネートやアクリル等の透明なプラスチック板から形成されている。透明支持板６４０は、ネジ止め穴６４３〜６４７の部分を除く部分が、均一な厚さに形成されている。尚、透明支持板６４０の「透明」とは、光源からの光を全体で均一に透光するように形成されていればよく、必ずしも該透明支持板６４０を通して反対側が見えるような透明性が要求されるものではない。
【００４０】
図８は図７（ａ）の表示部材の組立て状態を示す斜視図である。図７（ａ）に示すように、隔壁６１１には、その後端が短く形成された段部６１１ａ〜６１１ｄが設けられている。透明支持板６４０は、表示部材に取り付けた際に、上記段部６１１ａ、６１１ｂ、６１１ｃ、６１１ｄに重なるような形状に形成されている。そして、図８に示すように、透明支持板６４０の主発光部支持部６４２は、隔壁６２０の発光領域６２ｅの内側に嵌合している嵌合部６４２ｅと、非発光領域６２ｉの内側に嵌合している嵌合部６４２ｉを有する。段部６１１ａ〜６１１ｄの深さは、透明支持板６４０の当該部分の厚さと略同じに形成され、嵌合部６４２ｅと６４２ｉの透明支持板６４０の後面側の表面は、隔壁６１１の段部のない部分の後端と略面一になるように形成されている。
【００４１】
このように隔壁６１１は、区画された一部の領域の内側に、透明支持板６４０が嵌合している嵌合部６４２ｅと６４２ｉによって補強されており、隔壁６１１の強度が向上している。隔壁６１１は、比較的柔らかい材料で形成されているので、表示部材６０が積み重ねて置かれた場合等に、補強されていない状態であると、変形したりするおそれがあるが、上記のように透明支持板６４０により補強されていると、変形や破損のおそれが小さくなる。
【００４２】
また図６に示すように主発光部６２は、外枠部６２０の前面側の前面板６２０ａの表面が凹凸状に形成されている。すなわち、前面板６２０ａは、区画された発光領域により、前面の位置が異なるように形成されている。図５に示す非発光領域６２ｉが最も奥の後方側に位置し、次に下段中央の発光領域６２ｅがその前方に位置し、次に上段の発光領域６２ａ、６２ｂ、下段の発光領域６２ｄ、６２ｆがその前方に位置し、次に上段の発光領域６２ｈと下段両端の発光領域６２ｃ、６２ｇが最前側の位置に形成されている。
【００４３】
透明支持板６４０は、主発光部支持部６４２が副発光部支持部６４１を補強する形状である。以下、この形状について説明する。図９（ａ）は図５の表示部材の背面図であり、（ｂ）は（ａ）のＢ−Ｂ断面図である。図１０（ａ）、（ｂ）は従来の表示部材を示し、図９（ａ）、（ｂ）に対応する図である。図９（ａ）、（ｂ）に示すように、本発明の表示部材６０の透明支持板６４０には副発光部支持部６４１に主発光部支持部６４２が連設されている。主発光部支持部６４２は主発光部６２の二つの発光領域６２ｈ、６ｅの全体を覆う形状に形成されている。従来の表示部材１００は、図１０（ａ）、（ｂ）に示すように、透明支持板１０４が副発光部のみを覆うように形成されている。この場合、透明支持板１０４には細い部分（矢印Ｐ、Ｑの部分）が存在する。これに対し本発明の表示部材は、図９（ａ）、（ｂ）に示すように、透明支持板６４０の主発光部支持部６４２が、副発光部支持部６４１を補強している。すなわち、透明支持板６４０において細い部分Ｐが存在しなくなり、細い部分Ｑは主発光部支持部６４２を設けたことにより、補強されて、折れにくくなっている。
【００４４】
また、図９（ａ）、（ｂ）に示すように、透明支持板６４０の主発光部支持部６４２は、主発光領域６２ｂ、６２ａの部分を避けて形成したので、この部分の発光を阻害することがないので輝度が低下せず、文字をくっきりと発光させることができる。主発光部支持部６４２は、発光領域６２ｅの部分に形成されているのでこの部分の輝度は透明支持板６４０により低下することになる。しかし、この部分は副発光部６３とほとんど接していないし、周辺が主発光部の発光領域に囲まれているので、透明支持板６４０による輝度の変化が最も目立ち難く、主発光部の意匠性の低下を最小に抑制できる。更に、透明支持板６４０の主発光部支持部６４２の絵柄の発光領域６２ｈに設けられている部分は、文字の部分ではないので、透明支持板６４０による輝度の低下は、主発光部６２の中であまり目立たない。また主発光部支持部６４２は、文字の発光領域６２ｅの全体を覆っているので、透明支持板６４０が主発光部を部分的に覆う場合と比較して、発光領域の輝度の低下が領域の一部ではなく領域全体であれば、意匠性の低下は小さいものである。
【００４５】
本実施態様では、主発光部支持部６４２は、二つの発光領域６２ｅ、６２ｈと、非発光領域６２ｉを覆うように構成されているが、本発明では主発光部支持部６４２が、副発光部支持部を補強する形状に、少なくとも一つの発光領域の全体を覆うように副発光部支持部に連設されていれば良い。また、本実施態様では、主発光部６２の上方に副発光部６３が形成されているが、この主発光部６２と副発光部６３の位置についても、両者が隣接して形成されていれば良く、特にこの態様に限定されるものではない。
【００４６】
本発明の遊技機は、上記の表示部材６０を備えるものである。尚、本実施態様では、表示部材６０は、遊技盤６に取り付けられ、主発光部６２が遊技機１の機種名を表示するように形成したものであるが、本発明の表示部材はそのような態様に限定されず、遊技盤以外の部分に取り付けるように構成しても良いし、主発光部に遊技機の機種名以外の表示を行うように構成しても良い。
【図面の簡単な説明】
【００４７】
【図１】本発明遊技機の一実施例を示す正面図である。
【図２】図１の遊技機を後方側から見た分解斜視図である。
【図３】図１の遊技機の背面図である。
【図４】図１の遊技機のセンター役物の正面図である。
【図５】図１の遊技機の表示部材の正面図である。
【図６】図５の表示部材の分解斜視図である。
【図７】（ａ）は図５の表示部材を後方から見た分解斜視図であり、（ｂ）は調光シートの光散乱パターンの説明図である。
【図８】図７（ａ）の組立て状態を示す斜視図である。
【図９】（ａ）は図５の表示部材の背面図であり、（ｂ）は（ａ）のＢ−Ｂ断面図である。
【図１０】従来の表示部材を示し、（ａ）は背面図であり、（ｂ）は（ａ）のＢ−Ｂ断面図である。
【符号の説明】
【００４８】
１  パチンコ遊技機
６  遊技盤
６０  表示部材
６１  発光部
６１ａ〜６１ｈ  発光領域
６２  主発光部
６３  副発光部
６１１  隔壁
６１１ａ  段部
６１２  遮光部
６３３  調光シート
６３３ａ〜６３３ｄ  部分調光シート
６４０  透明支持板
６４１  副発光部支持部
６４２  主発光部支持部
６４２ｅ  嵌合部
【図１】
2010029364.tif 000003
【図２】
2010029364.tif 000004
【図３】
2010029364.tif 000005
【図４】
2010029364.tif 000006
【図５】
2010029364.tif 000007
【図６】
2010029364.tif 000008
【図７】
2010029364.tif 000009
【図８】
2010029364.tif 000010
【図９】
2010029364.tif 000011
【図１０】
2010029364.tif 000012